(57)【特許請求の範囲】
【請求項１】
内視鏡を収納して運搬するために上ケースと下ケースを蝶番で開閉自在に連結してスーツケース状に形成された内視鏡用キャリングケースであって、
内視鏡が急な折れ曲がりのない状態に嵌め込まれる収容溝が形成されたトレイが耐薬品性の高い無孔の素材で形成されて上記下ケース内に配置されると共に、
上記蝶番部分において上記上ケースと下ケースとが分離自在に構成され、
上記トレイが上記下ケースに対して着脱自在であって、上記トレイの底面と上記下ケースとの間が中空に形成されて、上記トレイに形成された収容溝の底面が網状又は多孔状に形成されていることを特徴とする内視鏡用キャリングケース。
【請求項２】
上記下ケース内に配置された状態の上記トレイの収容溝に嵌まり込む突起が、上記上ケースから突設されている請求項１記載の内視鏡用キャリングケース。
【発明の詳細な説明】
【０００１】
【発明の属する技術分野】
この発明は、内視鏡を収納して運搬するための内視鏡用キャリングケースに関する。
【０００２】
【従来の技術】
内視鏡用キャリングケースの多くは、病院の内視鏡検査室に保管されて必要に応じてそこで使用される。
【０００３】
しかし近年は、在宅医療の普及と内視鏡技術の進歩等によって、往診の際に内視鏡検査を行うことができるようになっており、往診検査を行う場合には、内視鏡をキャリングケースに収納して往診先に運搬し、検査が終わって汚れた状態の内視鏡を再びキャリングケースに収納して持ち帰っている。
【０００４】
そのような往診検査の際に内視鏡を運搬するために用いられるキャリングケースは、一般に、ケースが把手のついた開閉自在なスーツケース状に形成されている。
【０００５】
そしてケース内には、弾力性を付与するための無数の微細な連続孔を有する発泡プラスチック材で形成された図６に示されるようなクッション材９１に、内視鏡が急な折れ曲がりのない状態に嵌め込まれる収容溝９２が形成されている。
【０００６】
【発明が解決しようとする課題】
しかし、上述のように無数の微細な連続孔を有するクッション材９１に使用後の汚れた内視鏡を収納すると、クッション材９１の微細孔内に汚染物質が入り込んで、洗浄しても全ての汚染物質を取り除くことはできなくなり、次に収容される清潔な内視鏡を汚染してしまう恐れがある。
【０００７】
そこで本発明は、汚れた内視鏡の収容に使用された後に、汚染物質を全て容易に洗い流して清潔な状態にすることができる衛生的な内視鏡用キャリングケースを提供することを目的とする。
【０００８】
【課題を解決するための手段】
上記の目的を達成するため、本発明の内視鏡用キャリングケースは、内視鏡を収納して運搬するために上ケースと下ケースを蝶番で開閉自在に連結してスーツケース状に形成された内視鏡用キャリングケースであって、内視鏡が急な折れ曲がりのない状態に嵌め込まれる収容溝が形成されたトレイを耐薬品性の高い無孔の素材で形成して上記下ケース内に配置すると共に、上記蝶番部分において上記上ケースと下ケースとを分離自在としたことを特徴とする。
【０００９】
なお、上記トレイが上記下ケースに対して着脱自在であってもよい。その場合、上記トレイに把手が設けられていてもよく、上記下ケースの底面に、排液孔と、その排液孔に着脱自在な栓とが設けられていてもよい。
【００１０】
また、上記トレイの底面と上記下ケースとの間が中空に形成されていてもよく、さらに上記トレイに形成された収容溝の底面が網状又は多孔状に形成されていてもよい。
【００１１】
また、上記下ケース内に配置された状態の上記トレイの収容溝に嵌まり込む突起が、上記上ケースから突設されていてもよい。
【００１２】
【発明の実施の形態】
図面を参照して本発明の実施の形態を説明する。
図２は、本発明の第１の実施の形態の内視鏡用キャリングケースが開かれた状態の平面図であり、図３はそのIII−III側面断面図、図４は内視鏡用キャリングケースが閉じられた状態の側面断面図である。
【００１３】
内視鏡用キャリングケースは開閉自在なスーツケース状に形成されており、下ケース１１と上ケース１２とが、各々長方形の開口容器状に形成されて蝶番１４を中心に開閉自在に連結されている。運搬時に握るための把手１３は、上ケース１２に取り付けられている。１５は、ケース１１，１２を閉じたときにその状態を保つためのロックである。
【００１４】
下ケース１１内に配置されたトレイ２０には、可撓管状の挿入部を有する内視鏡及びその付属品類が急な折れ曲がりのない状態に嵌め込まれる収容溝２１が形成されている。
【００１５】
上下両ケース１２，１１とトレイ２０は、例えばポリプロピレン等のような耐薬品性の高い（即ち、酸やアルカリに侵され難い）無孔の薄板状の合成樹脂材によって成形されている。
【００１６】
上ケース１２には、ケースを閉じたときに下ケース１１内に配置されたトレイ２０の収容溝２１に嵌まり込む突起部１２ａが、下ケース１１側の収容溝２１の形状に合わせて突出成形されている。
【００１７】
したがって、内視鏡と付属品を収容溝２１に嵌め込んでケース１１，１２を閉じることにより、内視鏡と付属品を収容溝２１内にガタつかない状態に収容して運搬することができ、目的地でケース１１，１２を開いて、内視鏡と付属品を取り出すことができる。
【００１８】
トレイ２０は、外縁部がほぼ全周にわたって下ケース１１の開口部に載せられた状態になっている。したがって、ケース１１，１２を開ければ、トレイ２０を下ケース１１から持ち上げて取り出すことができる。トレイ２０の外縁部には、そのための把手２２が切り欠き形成されている。
【００１９】
収容溝２１の底面は網状（メッシュ状）に形成されていて、その収容溝２１の底面（即ち、トレイ２０の底面）は下ケース１１の壁面から浮いており、両面の間は中空になっている。そして、図３に示されるように下ケース１１の底面には排液孔１６が形成されていて、そこに栓１７が着脱自在に嵌められている。
【００２０】
したがって、収容溝２１内に内視鏡が入ったトレイ２０を取り付けたままの状態で下ケース１１に薬液を溜めることにより、下ケース１１がいわゆるシンクになって、トレイ２０と内視鏡と下ケース１１を同時に消毒することができる。
【００２１】
そして、消毒終了後には、内視鏡をトレイ２０ごと下ケース１１から取り外すことができ、栓１７を取り外せば、薬液は排液孔１６から排出される。このような一連の処理において、収容溝２１の底面が網状に形成されているので、内視鏡が薬液によく漬かり、終了後の水切れもよい。
【００２２】
また、ケース１１，１２及びトレイ２０が無孔材によって形成されているので、それらの表面に付着した汚染物質を全て洗い流すことができ、また、ケース１１，１２とトレイ２０は耐薬品性が高いので、薬液による滅菌や消毒を十分に行って感染防止を確実にすることができる。
【００２３】
このように構成された内視鏡用キャリングケースにおいて、さらに、下ケース１１と上ケース１２とが蝶番１４部分において機械的に分離自在に構成されている。
【００２４】
図１は、上ケース１２と下ケース１１とが分離された状態を示しており、下ケース１１と上ケース１２とを、蝶番１４の回転軸の軸線方向に相対的にスライドさせることによって、蝶番１４の軸棒が軸受け側から抜け、下ケース１１と上ケース１２とを切り離すことができる。
【００２５】
したがって、上述のように下ケース１１をシンクにして内視鏡を洗浄消毒する際には、下ケース１１と上ケース１２とを切り離すことによって、洗い場として必要な面積が半分になり、洗浄消毒を非常に簡便に行うことができる。
【００２６】
なお、本発明は上記実施の形態に限定されるものではなく、例えば図５に示されるように、トレイ２０に形成された収容溝２１の底面を、網状ではなく多数の水通過孔２３が穿設された多孔状に形成してもよく、要は水が抜け易ければどのような孔にしてもよい。
【００２７】
【発明の効果】
本発明によれば、収容溝が形成されたトレイを耐薬品性の高い無孔の素材で形成して下ケース内に配置したことにより、トレイやケースの表面に付着した汚染物質を全て洗い流し、薬液による滅菌や消毒を十分に行って感染防止を確実にすることができ、さらに、上ケースと下ケースを蝶番部分において分離自在としたことにより、広い洗い場が不要になり、洗浄消毒を非常に簡便に行うことができる。
【００２８】
また、トレイを下ケースに対して着脱自在にして、トレイの底面と下ケースとの間を中空に形成し、収容溝の底面を網状又は多孔状に形成することにより、下ケースをシンクとして用いてトレイと内視鏡と下ケースを同時に洗浄消毒することができる。
【図面の簡単な説明】
【図１】本発明の第１の実施の形態の内視鏡用キャリングケースの下ケースと上ケースとが分離された状態の平面図である。
【図２】本発明の第１の実施の形態の内視鏡用キャリングケースのケースが開かれた状態の平面図である。
【図３】本発明の第１の実施の形態の内視鏡用キャリングケースのケースが開かれた状態のIII−III側面断面図である。
【図４】本発明の第１の実施の形態の内視鏡用キャリングケースのケースが閉じられた状態の側面断面図である。
【図５】本発明の第２の実施の形態のトレイの平面図である。
【図６】従来の内視鏡用キャリングケースのクッション材の平面図である。
【符号の説明】
１１  下ケース
１２  上ケース
１４  蝶番
１６  排液孔
１７  栓
２０  トレイ
２１  収容溝
２２  把手
【図１】
0004086970.tif 000002
【図２】
0004086970.tif 000003
【図３】
0004086970.tif 000004
【図４】
0004086970.tif 000005
【図５】
0004086970.tif 000006
【図６】
0004086970.tif 000007